(57)【要約】【課題】  制御信号生成部又は電源に異常が生じた場合でも、共振回路の残留電荷を除去することにより、スイッチング素子の損傷を抑制して信頼性の向上を図った共振型昇降圧コンバータの駆動制御装置を提供することを課題とする。【解決手段】  電源側に配設される第１スイッチング素子対と、負荷側に配設される第２スイッチング素子対と、第１スイッチング素子対と第２スイッチング素子対の間に配設される共振回路とを含む共振型昇降圧コンバータの駆動制御装置であって、第１スイッチング素子対及び第２スイッチング素子対に電力供給を行う電源の異常を検知する電源異常検知部と、第１スイッチング素子対及び第２スイッチング素子対の駆動指令の異常を判定する指令異常判定部と、電源異常判定部又は指令異常判定部に異常が生じた場合に、第２スイッチング素子対をオンにするための指令を出力する出力部とを有する。【選択図】図３
2010193619.tif 000002
【特許請求の範囲】
【請求項１】
電源側に配設される第１スイッチング素子対と、負荷側に配設される第２スイッチング素子対と、前記第１スイッチング素子対と前記第２スイッチング素子対の間に配設される共振回路とを含む共振型昇降圧コンバータの駆動制御装置であって、
前記第１スイッチング素子対及び第２スイッチング素子対に電力供給を行う電源の異常を検知する電源異常検知部と、
前記第１スイッチング素子対及び前記第２スイッチング素子対の駆動指令の異常を判定する指令異常判定部と、
前記電源異常判定部又は前記指令異常判定部に異常が生じた場合に、前記第２スイッチング素子対をオンにするための指令を出力する出力部と
を有する、共振型昇降圧コンバータの駆動制御装置。
【発明の詳細な説明】
【技術分野】
【０００１】
本発明は、電源側のスイッチング素子対と負荷側のスイッチング素子対との間に共振回路を含む共振型昇降圧コンバータの駆動制御装置に関する。
【背景技術】
【０００２】
従来より、電源側と負荷側の間で直流電圧を昇圧又は降圧する昇降圧コンバータが広く用いられている。また、このような昇降圧コンバータにおける効率改善や小型化を実現するために、電源側のスイッチング素子対と負荷側のスイッチング素子対との間に共振回路を含む共振型の昇降圧コンバータが提案されている（例えば、特許文献１参照）。
【先行技術文献】
【特許文献】
【０００３】
【特許文献１】特開２０００−３７０８１号公報
【特許文献２】特開２００４−２５４４５２号公報
【発明の概要】
【発明が解決しようとする課題】
【０００４】
ところで、共振型の昇降圧コンバータでは、回路内に生じる共振電流による電荷が共振回路内のコンデンサに蓄積されるのを抑制するために、電源側と負荷側のスイッチング素子対に含まれるスイッチング素子は、駆動制御部による駆動のタイミングに工夫がなされている。
【０００５】
しかしながら、スイッチング素子の制御電極に制御信号を供給するための制御信号生成部、又はスイッチング素子に電力を供給する電源に異常が生じると、正確なタイミングでスイッチング素子を駆動できなくなるため、共振回路内のコンデンサに余分な電荷が蓄積され、スイッチング素子が損傷を受ける、又は破損する場合があった。
【０００６】
そこで、本発明は、制御信号生成部又は電源に異常が生じた場合でも、共振回路の残留電荷を除去することにより、スイッチング素子の損傷を抑制して信頼性の向上を図った共振型昇降圧コンバータの駆動制御装置を提供することを目的とする。
【課題を解決するための手段】
【０００７】
本発明の一局面の共振型昇降圧コンバータの駆動制御装置は、電源側に配設される第１スイッチング素子対と、負荷側に配設される第２スイッチング素子対と、第１スイッチング素子対と第２スイッチング素子対の間に配設される共振回路とを含む共振型昇降圧コンバータの駆動制御装置であって、第１スイッチング素子対及び第２スイッチング素子対に電力供給を行う電源の異常を検知する電源異常検知部と、第１スイッチング素子対及び第２スイッチング素子対の駆動指令の異常を判定する指令異常判定部と、電源異常判定部又は指令異常判定部に異常が生じた場合に、第２スイッチング素子対をオンにするための指令を出力する出力部とを有する。
【発明の効果】
【０００８】
本発明によれば、制御信号生成部又は電源に異常が生じた場合でも、共振回路の残留電荷を除去することにより、スイッチング素子の損傷を抑制して信頼性の向上を図った共振型昇降圧コンバータの駆動制御装置を提供できるという特有の効果が得られる。
【図面の簡単な説明】
【０００９】
【図１】実施の形態１の共振型昇降圧コンバータの駆動制御装置の回路構成を示す図である。
【図２】実施の形態１の共振型昇降圧コンバータの駆動制御装置において各ＩＧＢＴに供給するゲート信号を示すタイミングチャートである。
【図３】実施の形態１の共振型昇降圧コンバータ１０の駆動制御装置２０の構成を示す図である。
【図４】実施の形態２の共振型昇降圧コンバータ１０の駆動制御装置２０の構成を示す図である。
【発明を実施するための形態】
【００１０】
以下、本発明の共振型昇降圧コンバータの駆動制御装置を適用した実施の形態について説明する。
【００１１】
［実施の形態１］
図１は、実施の形態１の共振型昇降圧コンバータの駆動制御装置の回路構成を示す図である。
【００１２】
実施の形態１の共振型昇降圧コンバータ１０は、バッテリ１と負荷２との間で電力の授受を行うＤＣ−ＤＣコンバータである。
【００１３】
バッテリ１は、共振型昇降圧コンバータ１０を介して負荷２との間で電力の授受が行えるように、充放電可能な蓄電器であればよい。なお、図１には、電源としてバッテリ１を示すが、バッテリ１の代わりに、コンデンサ、充放電可能な二次電池、又は、電力の授受が可能なその他の形態の電源を用いてもよい。
【００１４】
負荷２は、力行運転及び回生運転が可能な電動機であればよく、例えば、ＩＰＭ(Interior Permanent Magnetic)を用いることができる。負荷２は、力行運転に必要な電力の供給を共振型昇降圧コンバータ１０から受けるとともに、回生運転を行う際には回生運転で生じた電力を共振型昇降圧コンバータ１０に供給する。
【００１５】
共振型昇降圧コンバータ１０は、降圧用ＩＧＢＴ（Insulated Gate Bipolar Transistor）１１、１３、昇圧用ＩＧＢＴ１２、１４、トランス１５（１５Ａ、１５Ｂ）、リアクトル１６、補助コンデンサ１７及び１８を含む。
【００１６】
降圧用ＩＧＢＴ１１、１３、昇圧用ＩＧＢＴ１２、１４は、ＭＯＳＦＥＴ（Metal Oxide Semiconductor Field Effect Transistor）をゲート部に組み込んだバイポーラトランジスタで構成され、大電力の高速スイッチングが可能な半導体素子である。
【００１７】
降圧用ＩＧＢＴ１１と昇圧用ＩＧＢＴ１２は、バッテリ１の接続される側（電源側）に配設される第１スイッチング素子対である。
【００１８】
降圧用ＩＧＢＴ１１のエミッタは、昇圧用ＩＧＢＴ１２のコレクタと接続され、この接続点が降圧用ＩＧＢＴ１１と昇圧用ＩＧＢＴ１２の中点Ａとなる。降圧用ＩＧＢＴ１１のコレクタは、負荷２の正端子（＋）に接続され、昇圧用ＩＧＢＴ１２のエミッタは、接地される。
【００１９】
中点Ａとバッテリ１の正端子（＋）の間には、トランス１５の１次コイル１５Ａが挿入される。この１次コイル１５Ａは、後述する２次コイル１５Ｂと結合されてトランス１５を構成する。図１では、説明の便宜上、１次コイル１５Ａと２次コイル１５Ｂを離して示すが、１次コイル１５Ａと２次コイル１５Ｂは所定の結合係数で結合されてトランス１５として機能する。
【００２０】
なお、バッテリ１の負端子（−）は接地されている。
【００２１】
降圧用ＩＧＢＴ１１と昇圧用ＩＧＢＴ１２の各々には、整流用のダイオード１１Ａと１２Ａが並列に接続される。整流ダイオード１１Ａの整流方向は、図１に示すように、中点Ａから負荷２の正端子に向かう方向であり、整流ダイオード１２Ａの整流方向は、接地から中点Ａに向かう方向である。
【００２２】
降圧用ＩＧＢＴ１３と昇圧用ＩＧＢＴ１４は、負荷２の接続される側（負荷側）に配設され、後述する共振回路における共振のために補助的に配設されている第２スイッチング素子対である。
【００２３】
降圧用ＩＧＢＴ１３のエミッタは、ダイオード１３Ａを介して昇圧用ＩＧＢＴ１４のコレクタと接続され、この接続点が降圧用ＩＧＢＴ１３と昇圧用ＩＧＢＴ１４の中点Ｂとなる。降圧用ＩＧＢＴ１３のコレクタは、負荷２の正端子（＋）に接続され、昇圧用ＩＧＢＴ１４のエミッタは、ダイオード１４Ａを介して接地される。
【００２４】
中点Ａ、Ｂの間には、２次コイル１５Ｂ及びリアクトル１６が挿入されるとともに、ダイオード１１Ａ及び１２Ａの各々に並列に補助コンデンサ１７及び１８が接続される。
【００２５】
２次コイル１５Ｂ、リアクトル１６、補助コンデンサ１７及び１８は、第１スイッチング素子対（１１、１２）と第２スイッチング素子対（１３、１４）の間に配設される共振回路である。
【００２６】
このような共振型昇降圧コンバータ１０には、駆動制御装置２０からゲート信号としてＰＷＭ信号が供給される。
【００２７】
駆動制御装置２０は、共振型昇降圧コンバータ１０の駆動制御装置であり、ＩＧＢＴ１１、１２、１３、及び１４のゲートにＰＷＭ信号を供給する装置である。この駆動制御装置２０は、典型的にはＥＣＵ(Electronic Control Unit)で構成され、ＰＷＭ信号生成部３０とゲート信号監視回路４０を含む。
【００２８】
なお、ＥＣＵは、図示しないバスを介して互いに接続されたＣＰＵ、ＲＯＭ及びＲＡＭ等からなるマイクロコンピュータを中心として構成される。
【００２９】
この駆動制御装置２０の構成については、図３を用いて後述する。
【００３０】
「昇降圧動作」
このような共振型昇降圧コンバータ１０において、負荷２を昇圧する際には、昇圧用ＩＧＢＴ１２、１４のゲート端子にＰＷＭ信号を印加し、降圧用ＩＧＢＴ１１に並列に接続されたダイオード１１Ａを介して、昇圧用ＩＧＢＴ１２のオン／オフに伴って１次コイル１５Ａに発生する誘導起電力を負荷２に供給する。このとき、昇圧用ＩＧＢＴ１４、ダイオード１４Ａ、補助コンデンサ１８、２次コイル１５Ｂ、リアクトル１６を含む回路には共振電流が流れ、この共振によって得られた電流は、降圧用ＩＧＢＴ１１に並列に接続されたダイオード１１Ａを介して、昇圧用ＩＧＢＴ１４のオン／オフに伴って負荷２に供給される。これにより、ＤＣバス１１０Ａが昇圧される。
【００３１】
また、負荷２を降圧する際には、降圧用ＩＧＢＴ１１のゲート端子にＰＷＭ信号を印加し、降圧用ＩＧＢＴ１１を介して、負荷２によって発生される回生電力を１次コイル１５Ａを介してバッテリ１に供給する。また、このとき、降圧用ＩＧＢＴ１３、ダイオード１３Ａ、２次コイル１５Ｂ、リアクトル１６、補助コンデンサ１７を含む回路には共振電流が流れ、この共振によって得られた電流は、昇圧用ＩＧＢＴ１２に並列に接続されたダイオード１２Ａを介して、降圧用ＩＧＢＴ１３のオン／オフに伴ってバッテリ１に供給される。これにより、負荷２で回生された電力がバッテリ１に充電され、降圧が行われる。
【００３２】
図２は、実施の形態１の共振型昇降圧コンバータの駆動制御装置において各ＩＧＢＴに供給するゲート信号を示すタイミングチャートである。このタイミングチャートは、ＰＷＭ信号のパルスのレベル（Ｈ／Ｌ）を示している。また、ここでは、ＩＧＢＴ１１、１２、１３、１４をそれぞれＱ１、Ｑ２、Ｑ３、Ｑ４で示す。
【００３３】
共振型昇降圧コンバータ１０が駆動を開始した最初の期間Ｓ１では、Ｑ１へのゲート信号がＨレベルにされている。
【００３４】
次の期間Ｓ２では、Ｑ１へのゲート信号がＬレベルに切り替わり、Ｑ１〜Ｑ４のすべてがオフにされている。
【００３５】
期間Ｓ３に入ると、Ｑ４へのゲート信号がＨレベルに切り替えられる。これは、共振電流によって補助コンデンサ１８に蓄積された電荷をＱ２が駆動される前に取り除いておくためである。Ｑ２が駆動される際に補助コンデンサ１８に電荷が残留していると、Ｑ２のＩＧＢＴでの損失が増大してしまうため、これを未然に防ぐためである。具体的には、Ｑ４がオンにされると、補助コンデンサ１８、２次コイル１５Ｂ、リアクトル１６、Ｑ４、ダイオード１４Ａを含む閉回路に電流が流れて補助コンデンサ１８の電荷が徐々に放出される。Ｑ４がオンにされた状態で補助コンデンサ１８の残留電荷がなくなると、２次コイル１５Ｂ又はリアクトル１６に溜まったエネルギにより、ダイオード１２Ａ、２次コイル１５Ｂ、リアクトル１６、Ｑ４、ダイオード１４Ａを含む閉回路に共振電流が流れる。
【００３６】
期間Ｓ４に入ると、Ｑ２へのゲート信号がＨレベルにされ、駆動が開始される。これにより、昇圧動作が行われる。
【００３７】
期間Ｓ５に入ると、Ｑ４へのゲート信号がＬレベルに切り替えられるが、Ｑ２へのゲート信号はＨレベルに維持される。これは、昇圧動作を終了させる際に、２次コイル１５Ｂ又はリアクトル１６に溜まったエネルギをＱ２を介して放出するためである。
【００３８】
期間Ｓ６に入ると、Ｑ３へのゲート信号がＨレベルに切り替えられる。これは、共振電流によって補助コンデンサ１７に蓄積された電荷をＱ１が駆動される前に取り除いておくためである。Ｑ１が駆動される際に補助コンデンサ１７に電荷が残留していると、Ｑ１のＩＧＢＴでの損失が増大してしまうため、これを未然に防ぐためである。具体的には、Ｑ３がオンにされると、補助コンデンサ１７、２次コイル１５Ｂ、リアクトル１６、Ｑ３、ダイオード１３Ａを含む閉回路に電流が流れて補助コンデンサ１７の電荷が徐々に放出される。Ｑ３がオンにされた状態で補助コンデンサ１７の残留電荷がなくなると、２次コイル１５Ｂ又はリアクトル１６に溜まったエネルギにより、ダイオード１１Ａ、２次コイル１５Ｂ、リアクトル１６、Ｑ３、ダイオード１３Ａを含む閉回路に共振電流が流れる。
【００３９】
期間Ｓ７に入ると、Ｑ１へのゲート信号がＨレベルにされ、駆動が開始される。これにより、降圧動作が行われる。
【００４０】
次の期間Ｓ１に入ると、Ｑ３へのゲート信号がＬレベルに切り替えられるが、Ｑ１へのゲート信号はＨレベルに維持される。これは、降圧動作を終了させる際に、２次コイル１５Ｂ又はリアクトル１６に溜まったエネルギをＱ１を介して放出するためである。
【００４１】
実施の形態１の共振型昇降圧コンバータの駆動制御装置では、以上のようにＱ１〜Ｑ４の駆動が行われる。
【００４２】
ところで、駆動制御装置２０のゲート信号生成部２１、又は、駆動制御装置２０に電力を供給する電源に異常が発生した場合には、図２に示すようなＱ１〜Ｑ４の駆動が正確に行われなくなる。
【００４３】
このような場合に、特に、補助コンデンサ１７の残留電荷が放出される前にＱ３へのゲート信号がＬレベルに切り替えられてしてしまうと、Ｑ３がオフになるため、２次コイル１５Ｂ又はリアクトル１６に溜まったエネルギがＱ３のエミッタに接続されたダイオード１３Ａに供給されてしまい、ダイオード１３Ａが損傷を受ける可能性があった。この場合に、ダイオード１３Ａに加えて、Ｑ３が損傷を受ける可能性もあった。
【００４４】
また、補助コンデンサ１８の残留電荷が放出される前にＱ４へのゲート信号がＬレベルに切り替えられてしまうと、Ｑ４がオフになるため、２次コイル１５Ｂ又はリアクトル１６に溜まったエネルギがＱ４のコレクタに供給されてしまい、Ｑ４が損傷を受ける可能性があった。
【００４５】
実施の形態１の共振型昇降圧コンバータ１０の駆動制御装置２０は、異常時に以下で説明するようにＱ３、Ｑ４を駆動することにより、２次コイル１５Ｂ又はリアクトル１６に溜まったエネルギによってＱ３、Ｑ４が損傷を受けることを抑制する。
【００４６】
図３は、実施の形態１の共振型昇降圧コンバータ１０の駆動制御装置２０に含まれるゲート信号監視回路４０の構成を示す図である。
【００４７】
ゲート信号監視回路４０は、ゲート信号判定部４１、ゲート信号保持回路４２、電源異常判定部４３、及びゲート信号出力切替部４４を含む。
【００４８】
ゲート信号判定部４１は、ＰＷＭ信号生成部３０から出力されるＰＷＭ信号（ゲート信号）が正常であるか否かを判定するステータスマシーンで構成される。すなわち、図２に示すようにゲート信号のＨ／Ｌが切り替えられるパターンを格納しており、図２に示すパターン通りにゲート信号が生成されているか否かを監視することにより、ゲート信号に異常が含まれているか否かを判定する。判定結果は、ゲート信号出力切替部４４に入力される。
【００４９】
ゲート信号保持回路４２は、ゲート信号判定部４１によって異常が発生していると判定された場合に、駆動期間がＳ３又はＳ４である場合には、Ｑ４の駆動を確保すべく、Ｑ４をオンするためのゲート信号（Ｈレベル）を出力する。
【００５０】
具体的には、駆動期間がＳ３のときに、ゲート信号判定部４１によって異常が発生していると判定された場合には、ゲート信号保持回路４２は、期間Ｓ３及びＳ４にわたってＱ４をオンするためのゲート信号（Ｈレベル）を出力する。また、駆動期間がＳ４のときに、ゲート信号判定部４１によって異常が発生していると判定された場合には、ゲート信号保持回路４２は、期間Ｓ４の間だけＱ４をオンするためのゲート信号（Ｈレベル）を出力する。
【００５１】
ゲート信号保持回路４２は、期間Ｓ４が終了すると、Ｑ１〜Ｑ４をすべてオフにするために、Ｑ１〜Ｑ４へのゲート信号をＬレベルにする。すなわち、期間Ｓ２と同一の状態にされる。
【００５２】
また、ゲート信号保持回路４２は、ゲート信号判定部４１によって異常が発生していると判定された場合に、駆動期間がＳ６又はＳ７である場合には、Ｑ３の駆動を確保すべく、Ｑ３をオンするためのゲート信号（Ｈレベル）を出力する。
【００５３】
具体的には、駆動期間がＳ６のときに、ゲート信号判定部４１によって異常が発生していると判定された場合には、ゲート信号保持回路４２は、期間Ｓ６及びＳ７にわたってＱ３をオンするためのゲート信号（Ｈレベル）を出力する。また、駆動期間がＳ７のときに、ゲート信号判定部４１によって異常が発生していると判定された場合には、ゲート信号保持回路４２は、期間Ｓ７の間だけＱ３をオンするためのゲート信号（Ｈレベル）を出力する。
【００５４】
ゲート信号保持回路４２は、期間Ｓ７が終了すると、Ｑ１〜Ｑ４をすべてオフにするために、Ｑ１〜Ｑ４へのゲート信号をＬレベルにする。すなわち、期間Ｓ２と同一の状態にされる。
【００５５】
電源異常判定部４３は、駆動制御装置２０に電源供給を行う電源から電源リセット信号が入力されたか否かの判定を制御サイクル毎に繰り返し行い、電源リセット信号が入力された場合に異常と判定する判定部である。判定結果は、ゲート信号出力切替部４４に入力される。
【００５６】
ゲート信号出力切替部４４は、ゲート信号判定部４１及び電源異常判定部４３の双方によって異常判定が行われていない場合（すなわち両方とも正常と判定している場合）には、ＰＷＭ信号生成部３０から入力されるＰＷＭ信号を出力し、Ｑ１〜Ｑ４に供給する。
【００５７】
一方、ゲート信号出力切替部４４は、ゲート信号判定部４１又は電源異常判定部４３の少なくともいずれか一方によって異常判定が行われている場合には、出力をゲート信号保持回路４２から出力されるゲート信号に切り替える。
【００５８】
これにより、ＰＷＭ信号生成部３０又は電源電圧に異常が生じても、期間Ｓ３、Ｓ４、Ｓ６、又はＳ７の間は、Ｑ３又はＱ４の駆動を確保することができる。
【００５９】
この結果、ＰＷＭ信号生成部３０又は電源電圧に異常が生じても、Ｑ３、Ｑ４がオンの状態に保持されることによって補助コンデンサ１７、１８の電荷を放出することができるので、補助コンデンサ１７、１８に電荷が残留した状態でＱ３、Ｑ４がオフにされることを回避でき、２次コイル１５Ｂ又はリアクトル１６に溜まったエネルギによってダイオード１３Ａ、Ｑ３、又はＱ４が損傷を受けることを抑制することができる。
【００６０】
以上、実施の形態１によれば、ＰＷＭ信号生成部３０又は電源に異常が生じた場合でも、共振回路の残留電荷を除去することにより、スイッチング素子の損傷を抑制して信頼性の向上を図った共振型昇降圧コンバータの駆動制御装置を提供することができる。
【００６１】
［実施の形態２］
図４は、実施の形態２の共振型昇降圧コンバータの駆動制御装置に含まれるゲート信号監視回路４０２の構成を示す図である。
【００６２】
実施の形態２の共振型昇降圧コンバータの駆動制御装置は、実施の形態１のゲート信号監視回路４０の代わりに、ゲート信号監視回路２４０を備える。その他の構成は、実施の形態１の共振型昇降圧コンバータの駆動制御装置と同一であるため、同一の構成要素には同一符号を付し、その説明を省略する。
【００６３】
ゲート信号監視回路２４０は、ゲート信号判定部２４１、ゲート信号保持回路２４２、電源異常判定部２４３、ゲート信号出力切替部２４４、及び電源異常予想部２４５を含む。
【００６４】
ここで、ゲート信号判定部２４１、ゲート信号保持回路２４２、及び電源異常判定部２４３の各々の構成は、実施の形態１のゲート信号判定部４１、ゲート信号保持回路４２、及び電源異常判定部４３と同一であるため説明を省略する。
【００６５】
ゲート信号出力切替部２４４は、ゲート信号判定部２４１及び電源異常判定部２４３の判定結果に加えて、後述する電源異常予想部２４５の判定結果を用いて出力を切り替える点が実施の形態１のゲート信号出力切替部４４と相違する。
【００６６】
電源異常予想部２４５は、駆動制御装置２０に供給される電源電圧を監視し、電圧値が所定の範囲から逸脱した場合に、異常と判定する判定部である。判定結果は、ゲート信号出力切替部２４４に入力される。例えば、電源の目標電圧値が１２Ｖである場合には、７Ｖ〜１５Ｖの範囲から逸脱した場合に、異常と判定するようにすればよい。
【００６７】
ゲート信号出力切替部２４４は、ゲート信号判定部２４１、電源異常判定部２４３、及び電源異常予想部２４５のいずれによって異常判定が行われていない場合（すなわちすべてが正常と判定している場合）には、ＰＷＭ信号生成部３０から入力されるＰＷＭ信号を出力し、Ｑ１〜Ｑ４に供給する。
【００６８】
一方、ゲート信号出力切替部２４４は、ゲート信号判定部２４１、電源異常判定部２４３、又は電源異常予想部２４５の少なくともいずれか一方によって異常判定が行われている場合には、出力をゲート信号保持回路２４２から出力されるゲート信号に切り替える。
【００６９】
これにより、ＰＷＭ信号生成部３０又は電源電圧に異常が生じても、期間Ｓ３、Ｓ４、Ｓ６、又はＳ７の間は、Ｑ３又はＱ４の駆動を確保することができる。
【００７０】
この結果、ＰＷＭ信号生成部３０又は電源電圧に異常が生じても、Ｑ３、Ｑ４がオンの状態に保持されることによって補助コンデンサ１７、１８の電荷を放出することができるので、補助コンデンサ１７、１８に電荷が残留した状態でＱ３、Ｑ４がオフにされることを回避でき、２次コイル１５Ｂ又はリアクトル１６に溜まったエネルギによってダイオード１３Ａ、Ｑ３、又はＱ４が損傷を受けることを抑制することができる。
【００７１】
以上、実施の形態２によれば、ＰＷＭ信号生成部３０又は電源に異常が生じた場合でも、共振回路の残留電荷を除去することにより、スイッチング素子の損傷を抑制して信頼性の向上を図った共振型昇降圧コンバータの駆動制御装置を提供することができる。
【００７２】
以上、本発明の例示的な実施の形態の共振型昇降圧コンバータの駆動制御装置について説明したが、本発明は、具体的に開示された実施の形態に限定されるものではなく、特許請求の範囲から逸脱することなく、種々の変形や変更が可能である。
【符号の説明】
【００７３】
１０  共振型昇降圧コンバータ
１１、１３  降圧用ＩＧＢＴ
１２、１４  昇圧用ＩＧＢＴ
１５  トランス
１５Ａ  １次コイル
１５Ｂ  ２次コイル
１６  リアクトル
１７、１８  補助コンデンサ
１１Ａ、１２Ａ、１３Ａ、１４Ａ  ダイオード
２０  駆動制御装置
３０  ＰＷＭ信号生成部
４０、２４０  ゲート信号監視回路
４１、２４１  ゲート信号判定部
４２、２４２  ゲート信号保持回路
４３、２４３  電源異常判定部
４４、２４４  ゲート信号出力切替部
２４５  電源異常予想部
【図１】
2010193619.tif 000003
【図２】
2010193619.tif 000004
【図３】
2010193619.tif 000005
【図４】
2010193619.tif 000006